(57)【要約】【課題】方向性がない装飾パネルを有する場合には、どの方向にも取り付け可能で、方向性がある装飾パネルを有する場合には、間違った方向に取り付けることが不可能な換気扇を得る。【解決手段】換気扇１００は、換気扇本体に取り付けられた装飾パネル取付部材２０に４本の取付部材脚部２３が設けられ、その先端である取付部材取付面２４に取付部材係合孔２５および取付部材凹部２６が形成され、方向性を有する第１装飾パネル３１０に装飾パネル爪３３および装飾パネル凸部３４が形成され、方向性を有しない第２装飾パネル３２０に装飾パネル爪３３が形成され、取付部材係合孔２５および装飾パネル爪３３が仮想円周６１上の４個所に等分配置され、それぞれの形状が互いに９０°対称で、取付部材凹部２６および装飾パネル凸部３４が仮想円周６１上の４個所に等分配置され、それぞれの形状が互いに１８０°対称である。【選択図】図１０
2014070770.tif 000002
【特許請求の範囲】
【請求項１】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部と、該取付部材脚部に取り付けられた第１装飾パネルまたは第２装飾パネルと、を有し、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、
前記装飾パネル爪が第１仮想円周上の４個所に等分配置され、それぞれの形状が互いに前記第１仮想円周の中心に対して９０°対称で、
前記装飾パネル凸部が第２仮想円周上の４個所に等分配置され、それぞれの形状が互いに第２仮想円周の中心に対して１８０°対称で、
前記第１仮想円周の中心と前記第２仮想円周の中心とが一致し、
前記取付部材脚部が４個所に配置され、
前記取付部材脚部のそれぞれの先端に、それぞれの形状が互いに前記第１仮想円周の中心に対して９０°対称で、前記装飾パネル爪が侵入可能な取付部材係合孔が形成され、
前記取付部材脚部のそれぞれの先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルを有する場合には、前記第１装飾パネルを前記装飾パネル取付部材に互いに１８０°相違する２方向の何れかの方向に取り付けることが可能で、または、前記第２装飾パネルを有する場合には、前記第２装飾パネルを前記装飾パネル取付部材に互いに９０°相違する４方向のうちの何れの方向にも取り付けることが可能な換気扇。
【請求項２】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部と、該取付部材脚部に取り付けられた第１装飾パネルまたは第２装飾パネルと、を有し、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、
前記装飾パネル爪が第１仮想円周上の４個所に等分配置され、それぞれの形状が互いに前記第１仮想円周の中心に対して９０°対称で、
前記装飾パネル凸部が第２仮想円周上の２個所に等分配置され、それぞれの形状が互いに第２仮想円周の中心に対して１８０°対称で、
前記第１仮想円周の中心と前記第２仮想円周の中心とが一致し、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの対角位置に配置された一対の取付部材脚部の先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルを有する場合には、前記第１装飾パネルを前記装飾パネル取付部材に互いに１８０°相違する２方向の何れかの方向に取り付けることが可能で、または、前記第２装飾パネルを有する場合には、前記第２装飾パネルを前記装飾パネル取付部材に互いに９０°相違する４方向のうちの何れの方向にも取り付けることが可能な換気扇。
【請求項３】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部と、該取付部材脚部に取り付けられた第１装飾パネルまたは第２装飾パネルと、を有し、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が１個所に形成され、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの何れかの取付部材脚部の先端に、所定の位相において前記装飾パネル爪が前記取付部材係合孔に侵入した際、前記装飾パネル凸部が侵入可能な取付部材凹部が形成されていることを特徴とし、
前記第１装飾パネルを有する場合には、前記第１装飾パネルを前記装飾パネル取付部材に１方向に限って取り付けることが可能で、または、前記第２装飾パネルを有する場合には、前記第２装飾パネルを前記装飾パネル取付部材に互いに９０°相違する４方向のうちの何れの方向にも取り付けることが可能な換気扇。
【請求項４】
前記第１仮想円周の半径と前記第２仮想円周の半径とが同じで、前記取付部材係合孔の一部と前記取付部材凹部の一部とが接合していることを特徴とする請求項１乃至３の何れか一項に記載の換気扇。
【請求項５】
前記装飾パネル爪は断面矩形の板材であって、先端側のより厚肉の範囲と前記装飾パネル側のより薄肉の範囲とが係合顎によって連結され、
前記取付部材係合孔は断面矩形であって、４面からなる内面のうち何れかの内面に陥没した係合段差が形成され、
前記装飾パネル爪が前記取付部材係合孔に侵入した際、前記装飾パネル凸部が前記取付部材凹部に侵入した場合には、前記係合顎が前記係合段差に係合し、前記装飾パネル凸部が前記取付部材凹部に侵入しない場合には、前記係合顎が前記係合段差に係合しないことを特徴とする請求項１乃至４の何れか一項に記載の換気扇。
【請求項６】
外面が円錐状の案内部材膨出部と、該案内部材膨出部の周囲に形成された平面状の案内部材フランジとを具備する案内部材を有し、
前記案内部材フランジに、前記装飾パネル爪および前記装飾パネル凸部が貫通可能な案内部材設置孔が形成され、
前記装飾パネルと前記装飾パネル取付部材との間に配置された前記案内部材が、前記装飾パネル爪および前記装飾パネル凸部が前記案内部材設置孔を貫通した状態で、前記装飾パネルの一部と取付部材脚部の先端とによって挟み込まれることを特徴とする請求項１乃至５の何れか一項に記載の換気扇。
【請求項７】
前記装飾パネル取付部材が、前記取付部材脚部が設置された矩形状の取付部材枠部と、該取付部材枠部の外周縁に沿って形成され、前記取付部材脚部とは反対の方向に突出する四角柱状の取付部材フランジとを具備し、
前記取付部材フランジの所定の面に突出する取付部材取手が形成されていることを特徴とする請求項１乃至６の何れか一項に記載の換気扇。
【請求項８】
前記装飾パネル取付部材が、前記取付部材脚部が設置された矩形状の取付部材枠部と、該取付部材枠部の外周縁に沿って形成され、前記取付部材脚部とは反対の方向に突出する四角柱状の取付部材フランジとを具備し、
前記取付部材フランジの所定の面に、文字または記号が浮きだし形成または彫り込み形成されていることを特徴とする請求項１乃至６の何れか一項に記載の換気扇。
【請求項９】
前記装飾パネル取付部材が、前記取付部材脚部が設置された矩形状の取付部材枠部と、該取付部材枠部の外周縁に沿って形成され、前記取付部材脚部とは反対の方向に突出する四角柱状の取付部材フランジとを具備し、
前記取付部材フランジの所定の面の端縁に、所定範囲の切欠部または所定範囲の薄肉部が形成されていることを特徴とする請求項１乃至６の何れか一項に記載の換気扇。
【請求項１０】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部とを有し、前記取付部材脚部に第１装飾パネルまたは第２装飾パネルが選択的に取り付けられる換気扇共通部であって、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が第２仮想円周上の４個所に等分配置され、それぞれの形状が互いに第２仮想円周の中心に対して１８０°対称で、前記第１仮想円周の中心と前記第２仮想円周の中心とが一致し、
前記取付部材脚部が４個所に配置され、
前記取付部材脚部のそれぞれの先端に、それぞれの形状が互いに前記第１仮想円周の中心に対して９０°対称で、前記装飾パネル爪が侵入可能な取付部材係合孔が形成され、
前記取付部材脚部のそれぞれの先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルが取り付けられる場合には、前記第１装飾パネルが前記装飾パネル取付部材に互いに１８０°相違する２方向の何れかの方向に取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な換気扇共通部。
【請求項１１】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部とを有し、前記取付部材脚部に第１装飾パネルまたは第２装飾パネルが選択的に取り付けられる換気扇共通部であって、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が第２仮想円周上の２個所に等分配置され、それぞれの形状が互いに第２仮想円周の中心に対して１８０°対称で、前記第１仮想円周の中心と前記第２仮想円周の中心とが一致し、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの対角位置に配置された一対の取付部材脚部の先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルが取り付けられる場合には、前記第１装飾パネルが前記装飾パネル取付部材に互いに１８０°相違する２方向の何れかの方向に取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な換気扇共通部。
【請求項１２】
室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部とを有し、前記取付部材脚部に第１装飾パネルまたは第２装飾パネルが選択的に取り付けられる換気扇共通部であって、
前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、前記装飾パネル爪が第１仮想円周上の４個所に等分配置され、それぞれの形状が互いに前記第１仮想円周の中心に対して９０°対称で、前記装飾パネル凸部が１個所に形成され、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの何れかの取付部材脚部の先端に、所定の位相において前記装飾パネル爪が前記取付部材係合孔に侵入した際、前記装飾パネル凸部が侵入可能な取付部材凹部が形成されていることを特徴とし、
前記第１装飾パネルが取り付けられる場合には、前記第１装飾パネルが前記装飾パネル取付部材に１方向に限って取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な換気扇共通部。
【請求項１３】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部と、該取付部材脚部に取り付けられた第１装飾パネルまたは第２装飾パネルと、を有し、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、
前記装飾パネル爪が第１仮想円周上の４個所に等分配置され、それぞれの形状が互いに前記第１仮想円周の中心に対して９０°対称で、
前記装飾パネル凸部が第２仮想円周上の４個所に等分配置され、それぞれの形状が互いに第２仮想円周の中心に対して１８０°対称で、
前記第１仮想円周の中心と前記第２仮想円周の中心とが一致し、
前記取付部材脚部が４個所に配置され、
前記取付部材脚部のそれぞれの先端に、それぞれの形状が互いに前記第１仮想円周の中心に対して９０°対称で、前記装飾パネル爪が侵入可能な取付部材係合孔が形成され、
前記取付部材脚部のそれぞれの先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルを有する場合には、前記第１装飾パネルを前記装飾パネル取付部材に互いに１８０°相違する２方向の何れかの方向に取り付けることが可能で、または、前記第２装飾パネルを有する場合には、前記第２装飾パネルを前記装飾パネル取付部材に互いに９０°相違する４方向のうちの何れの方向にも取り付けることが可能な給排気口部材。
【請求項１４】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部と、該取付部材脚部に取り付けられた第１装飾パネルまたは第２装飾パネルと、を有し、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、
前記装飾パネル爪が第１仮想円周上の４個所に等分配置され、それぞれの形状が互いに前記第１仮想円周の中心に対して９０°対称で、
前記装飾パネル凸部が第２仮想円周上の２個所に等分配置され、それぞれの形状が互いに第２仮想円周の中心に対して１８０°対称で、
前記第１仮想円周の中心と前記第２仮想円周の中心とが一致し、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの対角位置に配置された一対の取付部材脚部の先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルを有する場合には、前記第１装飾パネルを前記装飾パネル取付部材に互いに１８０°相違する２方向の何れかの方向に取り付けることが可能で、または、前記第２装飾パネルを有する場合には、前記第２装飾パネルを前記装飾パネル取付部材に互いに９０°相違する４方向のうちの何れの方向にも取り付けることが可能な給排気口部材。
【請求項１５】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部と、該取付部材脚部に取り付けられた第１装飾パネルまたは第２装飾パネルと、を有し、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が１個所に形成され、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの何れかの取付部材脚部の先端に、所定の位相において前記装飾パネル爪が前記取付部材係合孔に侵入した際、前記装飾パネル凸部が侵入可能な取付部材凹部が形成されていることを特徴とし、
前記第１装飾パネルを有する場合には、前記第１装飾パネルを前記装飾パネル取付部材に１方向に限って取り付けることが可能で、または、前記第２装飾パネルを有する場合には、前記第２装飾パネルを前記装飾パネル取付部材に互いに９０°相違する４方向のうちの何れの方向にも取り付けることが可能な給排気口部材。
【請求項１６】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部とを有し、前記取付部材脚部に第１装飾パネルまたは第２装飾パネルが選択的に取り付けられる給排気口部材共通部であって、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が第２仮想円周上の４個所に等分配置され、それぞれの形状が互いに第２仮想円周の中心に対して１８０°対称で、前記第１仮想円周の中心と前記第２仮想円周の中心とが一致し、
前記取付部材脚部が４個所に配置され、
前記取付部材脚部のそれぞれの先端に、それぞれの形状が互いに前記第１仮想円周の中心に対して９０°対称で、前記装飾パネル爪が侵入可能な取付部材係合孔が形成され、
前記取付部材脚部のそれぞれの先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルが取り付けられる場合には、前記第１装飾パネルが前記装飾パネル取付部材に互いに１８０°相違する２方向の何れかの方向に取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な給排気口部材共通部。
【請求項１７】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部とを有し、前記取付部材脚部に第１装飾パネルまたは第２装飾パネルが選択的に取り付けられる給排気口部材共通部であって、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、
前記装飾パネル爪が第１仮想円周上の４個所に等分配置され、それぞれの形状が互いに前記第１仮想円周の中心に対して９０°対称で、前記装飾パネル凸部が第２仮想円周上の２個所に等分配置され、それぞれの形状が互いに第２仮想円周の中心に対して１８０°対称で、前記第１仮想円周の中心と前記第２仮想円周の中心とが一致し、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの対角位置に配置された一対の取付部材脚部の先端に、それぞれの形状が互いに前記第２仮想円周の中心に対して１８０°対称で、前記装飾パネル凸部が侵入可能な取付部材凹部が形成され、
互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、
前記第１装飾パネルが取り付けられる場合には、前記第１装飾パネルが前記装飾パネル取付部材に互いに１８０°相違する２方向の何れかの方向に取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な給排気口部材共通部。
【請求項１８】
室内外を仕切る隔壁を貫通して設置される本体フレームと、該本体フレームに取り付けられた枠状の装飾パネル取付部材と、該装飾パネル取付部材に形成され、前記本体フレームとは反対方向に突出する取付部材脚部とを有し、前記取付部材脚部に第１装飾パネルまたは第２装飾パネルが選択的に取り付けられる給排気口部材共通部であって、
前記第１装飾パネルが前記本体フレームの方向に突出する装飾パネル爪および前記本体フレームの方向に突出する装飾パネル凸部を具備し、前記第２装飾パネルが前記本体フレームの方向に突出する装飾パネル爪を具備し、前記装飾パネル爪が第１仮想円周上の４個所に等分配置され、それぞれの形状が互いに前記第１仮想円周の中心に対して９０°対称で、前記装飾パネル凸部が１個所に形成され、
前記取付部材脚部が４個所に配置され、
前記取付部材脚部のそれぞれの先端には、それぞれの形状が互いに前記第１仮想円周の中心に対して９０°対称で、前記装飾パネル爪が侵入可能な取付部材係合孔が形成され、
前記取付部材脚部のうちの何れかの取付部材脚部の先端に、所定の位相において前記装飾パネル爪が前記取付部材係合孔に侵入した際、前記装飾パネル凸部が侵入可能な取付部材凹部が形成されていることを特徴とし、
前記第１装飾パネルが取り付けられる場合には、前記第１装飾パネルが前記装飾パネル取付部材に１方向に限って取り付けられることが可能で、または、前記第２装飾パネルが取り付けられる場合には、前記第２装飾パネルが前記装飾パネル取付部材に互いに９０°相違する４方向のうちの何れの方向にも取り付けられることが可能な給排気口部材共通部。
【発明の詳細な説明】
【技術分野】
【０００１】
本発明は換気扇、換気扇共通部、給排気口部材および給排気口部材共通部、特に、室内外を仕切る隔壁を貫通する貫通孔に設置される換気扇、該換気扇の装飾パネルを除く部分である換気扇共通部、室内外を仕切る隔壁を貫通する貫通孔に設置される給排気口部材、および該給排気口部材の装飾パネルを除く部分である給排気口部材共通部、に関する。
【背景技術】
【０００２】
従来、室内外を仕切る隔壁を貫通する貫通孔に設置される換気扇（所謂「パイプ用ファン」）は、ファンおよびファンモータを具備したファン本体部（換気扇本体に同じ）と、ファン本体部の室内側に取り付けられた本体カバーと、本体カバーの室内側の面（前面）を覆うパネル（以下「装飾パネル」と称す）と、を有している。そして、装飾パネルを本体カバーにネジによって固定する際に生じる問題（例えば、固定が面倒で組み立てに時間がかかる、装飾パネルにネジボスを設けると「ひけ」が発生し、美観を損ねる）を解消するため、本体カバーの四隅に突出した支え部を設け、支え部に形成した嵌合凹部に、装飾パネルに設けた係合アームが係合するようにした発明が開示されている（例えば、特許文献１参照）。
【先行技術文献】
【特許文献】
【０００３】
【特許文献１】特開２００２−８９９０９号公報（第３−４頁、図１）
【発明の概要】
【発明が解決しようとする課題】
【０００４】
しかしながら、特許文献１に開示された換気扇は、外面が円筒で内面が四角形の筒状である支え部において、四角柱状の空間である嵌合凹部を形成し、その内面のうちの一面に半径方向内方に突出する係合突起（本体カバー側）が設けられている。また、係合アームには、前記係合突起を乗り越えてこの係合突起に係合する係合爪（装飾パネル側）が設けられている。
そして、換気扇が隔壁に設置された状態で、本体カバーの上縁側の２個所に配置された支え部には下方向に突出した係合突起が形成され、下縁側の２個所に配置された支え部には上方向に突出した係合突起が形成され、一方、装飾パネルの上縁側の２個所に配置された嵌合凹部には上方向に突出した係合爪が形成され、装飾パネルの下縁側の２個所に配置された嵌合凹部には下方向に突出した係合爪が形成されている。
すなわち、本体カバーの係合突起と装飾パネルの係合爪とが上下方向で係合するため、装飾パネルは上下（天地）を反対にした状態では、本体カバーに取り付けることができるものの、装飾パネルを９０°回転して、当初の上下（天地）方向を水平にした状態では、本体カバーに取り付けることができない。
【０００５】
前記換気扇においては、本体カバー（以下「装飾パネル取付部材」と称す）に装飾パネルの取付方向が明示されておらず、かつ、装飾パネル取付部材に形成されている支え部（以下「取付部材脚部」と称す）の位置も明示されていないため、製品製造時に装飾パネル取付部材に装飾パネルを取り付ける際、以下の問題があった。
（あ）方向性のない装飾パネル（特定の側縁が上下左右の何れの位置に配置されても、美観（意匠）が変動しない）の取付では、装飾パネルに方向性がないにもかかわらず取り付ける姿勢（位相）が制限され、取り付ける姿勢を間違った場合（装飾パネルの左縁側の２個所に配置された嵌合凹部に形成された係合爪が右方向に突出し、装飾パネルの右縁側の２個所に配置された嵌合凹部に形成された係合爪が左方向に突出した姿勢）、取り付け姿勢を変更して再度取り付ける必要があり、余計な作業による作業効率が低下する。
（い）方向性のある装飾パネル（特定の側縁が上下左右の特定の位置に配置されることによって、意匠性が担保される）の取付では、取り付ける姿勢を間違った場合、係合爪が係合突起に係合するおそれがあるため、係合した場合には、かかる係合を開放する取り外しに時間がかかったり、取り外し時に装飾パネルおよび装飾パネル取付部材に傷がついたりすることから、生産性が低下（作業時間の延長による作業効率の低下や部材廃棄による歩留まり低下）するおそれがあった。
【０００６】
本発明は、前記問題を解決するためになされたものであって、第１の課題とするところは、方向性がない装飾パネルを有する場合には、どの方向（位相）でも装飾パネルを装飾パネル取付部材に取り付けることが可能で、方向性を有する装飾パネルを間違った方向で装飾パネル取付部材に取り付けることが不可能な換気扇、換気扇共通部、給排気口部材および給排気口部材共通部を得ることである。
さらに、第２の課題とするところは、間違った方向に取り付けようとしても、装飾パネルの係合爪（またはこれに相当する部位）が装飾パネル取付部材の係合突起（またはこれに相当する部位）に係合することがない、換気扇、換気扇共通部、給排気口部材および給排気口部材共通部を得ることである。
【課題を解決するための手段】
【０００７】
本発明に係る換気扇は、室内外を仕切る隔壁を貫通して設置される換気扇本体と、該換気扇本体に取り付けられた枠状の装飾パネル取付部材と、該装飾パネル取付部材に形成され、前記換気扇本体とは反対方向に突出する取付部材脚部と、該取付部材脚部に取り付けられた第１装飾パネルまたは第２装飾パネルと、を有し、前記第１装飾パネルが前記換気扇本体の方向に突出する装飾パネル爪および前記換気扇本体の方向に突出する装飾パネル凸部を具備し、前記第２装飾パネルが前記換気扇本体の方向に突出する装飾パネル爪を具備し、前記装飾パネル爪が第１仮想円周上の４個所に等分配置され、それぞれの形状が互いに前記第１仮想円周の中心に対して９０°対称で、前記装飾パネル凸部が第２仮想円周上の４個所に等分配置され、それぞれの形状が互いに第２仮想円周の中心に対して１８０°対称で、前記第１仮想円周の中心と前記第２仮想円周の中心とが一致し、前記取付部材脚部が４個所に配置され、前記取付部材脚部のそれぞれの先端に、それぞれの形状が互いに前記第１仮想円周の中心に対して９０°対称で、前記装飾パネル爪が侵入可能な取付部材係合孔が形成され、前記取付部材脚部のそれぞれの先端に、それぞれの形状が互いに前記第２仮想円周の中心に対して１８０°対称で、前記装飾パネル凸部が侵入可能な取付部材凹部が形成され、互いに近接または接合した前記装飾パネル爪と前記装飾パネル凸部とが前記中心に対してなす角度が、互いに近接または接合した前記取付部材凹部係合孔と前記取付部材凹部とが前記中心に対してなす角度に同じであることを特徴とし、前記第１装飾パネルを有する場合には、前記第１装飾パネルを前記装飾パネル取付部材に互いに１８０°相違する２方向の何れかの方向に取り付けることが可能で、または、前記第２装飾パネルを有する場合には、前記第２装飾パネルを前記装飾パネル取付部材に互いに９０°相違する４方向のうちの何れの方向にも取り付けることが可能なものである。
【発明の効果】
【０００８】
本発明に係る換気扇は前記構成であるから、換気扇本体が隔壁に設置された状態で、方向性を有する第１装飾パネルは、水平に配置されるべき側縁を水平に配置することが可能で、かつ、意匠上水平に配置されるべき側縁を鉛直に配置することが不可能になり、一方、方向性を有しない第２装飾パネルは、何れの側縁を水平または垂直に配置することが可能になる。したがって、方向性を有する第１装飾パネルを適正な姿勢に正確に取り付けることができ、方向性を有しない第２装飾パネルを、姿勢（位相）を気にすることなく、迅速に取り付けることができる。
【図面の簡単な説明】
【０００９】
【図１】本発明の実施の形態１に係る換気扇の隔壁への取り付け状態を示す断面図。
【図２】図１に示す換気扇の全体を斜め背面側から見た斜視図。
【図３】図１に示す換気扇の装飾パネルおよび装飾パネル取付部材を取り出して斜め前面側から見た斜視図。
【図４】図１に示す換気扇の装飾パネルを装飾パネル取付部材から取り外して斜め前面側から見た斜視図。
【図５】図１に示す換気扇の装飾パネル取付部材の取付部材脚部を拡大して斜め前面側から見た斜視図。
【図６】図１に示す換気扇の装飾パネルを装飾パネル取付部材に取り付けた状態を示す側面図および正面視の断面図。
【図７】図１に示す換気扇の装飾パネルの前面を示す正面図および装飾パネルを装飾パネル取付部材に取り付けた状態を示す底面図。
【図８】図１に示す換気扇の取付部材係合孔への装飾パネル爪の係合構造を示す断面図および取付部材凹部への装飾パネル凸部の侵入状態を示す断面図。
【図９】図１に示す換気扇の装飾パネル取付部材を斜め前面側から見た斜視図。
【図１０】図１に示す換気扇の装飾パネル取付部材の正面図。
【図１１】図１に示す換気扇の装飾パネル取付部材を斜め背面側から見た斜視図。
【図１２】図１に示す換気扇の方向性を有する第１装飾パネルを斜め背面側から見た斜視図および斜め前面側から見た斜視図。
【図１３】図１２に示す第１装飾パネルの装飾パネル爪部および装飾パネル凸部を拡大して斜め背面側から見た斜視図。
【図１４】図１に示す換気扇の方向性を有しない第２装飾パネルを斜め背面側から見た斜視図および斜め前面側から見た斜視図。
【図１５】図１４に示す第２装飾パネルの装飾パネル爪部および装飾パネル凸部を拡大して斜め背面側から見た斜視図。
【図１６】本発明の実施の形態２に係る換気扇の装飾パネル取付部材の正面図。
【図１７】本発明の実施の形態２に係る換気扇の方向性を有する第３装飾パネルを斜め背面側から見た斜視図および斜め前面側から見た斜視図。
【図１８】本発明の実施の形態３に係る換気扇共通部を示す側面視の断面図。
【図１９】本発明の実施の形態４に係る給排気口部材を示す側面視の断面図。
【図２０】本発明の実施の形態５に係る給排気口部材共通部を示す側面視の断面図。
【発明を実施するための形態】
【００１０】
［実施の形態１］
図１および図２は、本発明の実施の形態１に係る換気扇を説明するものであって、図１は方向性を有する装飾パネルを有する場合の隔壁への取り付け状態を示す側面視の断面図、図２は全体を斜め背面側から見た斜視図である。なお、各図（以下に示す図３〜図１５についても同じ）は模式的に描いたものであって、本発明は図示された形態に限定されるものではない。
図１および図２において、換気扇１００は、室内４０と室外４２を仕切る隔壁４１に設置されるものであって、換気扇本体１と、換気扇本体１に設置された装飾パネル取付部材２０と、方向性を有する第１装飾パネル３１０または方向性を有しない第２装飾パネル３２０の一方と、を有している。なお、以下の説明の便宜上、隔壁４１は垂直であって、図１の上側を「上」または「上側」と、図１の下側を「下」または「下側」と称す場合がある。
隔壁４１には、室内４０と室外４２とを連通する隔壁貫通孔４３が形成され、隔壁貫通孔４３には隔壁パイプ４４が設置されている。
なお、図１には、第１装飾パネル３１０を有した換気扇１００が示されているが、換気扇１００は第２装飾パネル３２０を有する場合もあり、第２装飾パネル３２０を有する場合の側面視の断面図は、第１装飾パネル３１０を有する場合と側面視の断面図に同じであるため、図示しない。
【００１１】
（換気扇本体）
換気扇本体１は、プロペラ式の羽根車４および電動機５よりなる送風機３と、送風機３が組付けられ、隔壁パイプ４４内に配置される送風機フレーム６と、送風機フレーム６に設置され、半径方向に突出する送風機橋絡部１２と、送風機橋絡部１２の先端に形成された送風機脚部１１と、送風機脚部１１に設置された本体フレーム１０と、を具備している。
【００１２】
（送風機脚部）
送風機脚部１１は、周方向に間隔をおいて隔壁パイプ４４の中心線方向に沿って室外４２の方向（背面方向に同じ）に延出された４本であって、送風機橋絡部１２によって送風機フレーム６に支持されている。そして、４本の送風機脚部１１のうちの一本の送風機脚部１１の外側に、半径方向への拡開弾力により送風機フレーム６を隔壁パイプ４４に保持するための反り付きの送風機板バネ１４が装着されている。
さらに、電動機５を包囲する電動機カバー１３が、送風機橋絡部１２に設置されている。
【００１３】
（本体フレーム）
本体フレーム１０は樹脂製であって羽根車４を包囲して、室内４０側（前面側に同じ）に配置され、室外４２側の端部が送風機脚部１１に支持された円筒状の風洞部２と、室外４２側の端部が風洞部２に連続し、室内４０側になる程拡大するベルマウス形状（朝顔形状）の開口部８と、開口部８に連続し、外側に張り出したフランジ部９と、フランジ部９の外周に連続して室外４２側に向かって突出した筒状のフランジ立ち上がり部７と、を具備している。
また、フランジ立ち上がり部７の端縁（室外４２側の端部）は、隔壁４１の室内４０側の面に当接している。そして、風洞部２の外周と隔壁パイプ４４の内周との間には、シール材１６が嵌挿され、風洞部２を経由しない室内４０への空気の流れ込みが防止されている。すなわち、仮に、汚れた空気がフランジ部９の裏側（室外４２側）に流れ込んだ場合、フランジ立ち上がり部７と隔壁４１との当接部の隙間より、空気が室内４０に流入し、隔壁４１の室内側の面を汚すところ、シール材１６によって、かかる壁汚れが防止されている。
なお、４本の送風機脚部１１は、何れも風洞部２の外周より内側にある。また、電動機５の電動機回転軸１５が電動機カバー１３の先から風洞部２の中心線上で、室内４０側に突き出すように、電動機５が送風機フレーム６にネジ締めされている。したがって、電動機回転軸１５に固定された羽根車４は風洞部２の中心線を回転中心にして、風洞部２に内包された状態になっている。
【００１４】
図３および図４は、図１に示す換気扇を説明するものであって、図３は装飾パネルおよび装飾パネル取付部材を取り出して斜め前面側から見た斜視図、図４は装飾パネルを装飾パネル取付部材から取り外して斜め前面側から見た斜視図である。
図３および図４において、第１装飾パネル３１０と本体フレーム１０との間に案内部材３５０が配置され本体フレーム１０の開口部８への空気の流入を案内するものであって、略円錐状（裾野を具備する弾頭状に同じ）の案内部材膨出部３５ｗと、案内部材膨出部３５ｗの周囲に形成された平面状の案内部材フランジ３５ｆと、案内部材フランジ３５ｆに形成され、装飾パネル爪３３および装飾パネル凸部３４が貫通する案内部材設置孔３５ａ、３５ｂ、３５ｃ、３５ｄと、を有している。したがって、案内部材フランジ３５ｆは４個所において、装飾パネル背面３１ｒ（図１２の（ａ）参照）と取付部材脚部２３の取付部材取付面２４とによって挾持されることになる。なお、本発明は案内部材３５０の配置を必須にするものではなく、案内部材３５０の配置を省略してもよい。
【００１５】
（装飾パネル取付部材）
図５〜図７は、図１に示す換気扇を説明するものであって、図５は装飾パネル取付部材の取付部材脚部を拡大して斜め前面側から見た斜視図、図６の（ａ）は装飾パネルを装飾パネル取付部材に取り付けた状態を示す側面図、図６の（ｂ）は装飾パネルを装飾パネル取付部材に取り付けた状態を示す正面視の断面図、図７の（ａ）は装飾パネルの前面を示す正面図、図７の（ｂ）は装飾パネルを装飾パネル取付部材に取り付けた状態を示す底面図である。
また、図８〜図１１は、図１に示す換気扇を説明するものであって、図８の（ａ）は取付部材係合孔への装飾パネル爪の係合構造を示す断面図、図８の（ｂ）は取付部材凹部への装飾パネル凸部の侵入状態を示す断面図、図９は装飾パネル取付部材を斜め前面側から見た斜視図、図１０は装飾パネル取付部材の正面図、図１１は装飾パネル取付部材を斜め背面側から見た斜視図である。
【００１６】
図５〜図１１において、装飾パネル取付部材２０は、本体フレーム１０に設置され、第１装飾パネル３１０または第２装飾パネル３２０の取り付けを容易かつ確実にするためのものである。
装飾パネル取付部材２０は矩形状（例えば、正方形）の枠体であって、通気孔２２ｗを形成する平板状の取付部材端面２２と、取付部材端面２２のそれぞれの外側縁に連続し、取付部材端面２１ｆに対して垂直に形成された取付部材側面２１ａ、２１ｂ、２１ｃ、２１ｄを具備している。
【００１７】
そして、取付部材端面２１ｆの隅部であって、取付部材側面２１ａと取付部材側面２１ｂとの角部寄り、取付部材側面２１ｂと取付部材側面２１ｃとの角部寄り、取付部材側面２１ｃと取付部材側面２１ｄとの角部寄り、取付部材側面２１ｄと取付部材側面２１ａとの角部寄りにそれぞれ、取付部材側面２１ａ、２１ｂ、２１ｃ、２１ｄとは反対の方向に突出する取付部材脚部２３ａ、２３ｂ、２３ｃ、２３ｄと、が形成されている。
そして、取付部材脚部２３ａ、２３ｂ、２３ｃ、２３ｄの端面である取付部材取付面２４ａ、２４ｂ、２４ｃ、２４ｄには、取付部材係合孔２５ａ、２５ｂ、２５ｃ、２５ｄおよび取付部材凹部２６ａ、２６ｂ、２６ｃ、２６ｄが形成されている。なお、以下の説明において同じ内容については符号の添え字「ａ、ｂ、ｃ、ｄ」の記載を省略する。
【００１８】
さらに、装飾パネル取付部材２０の取付部材側面２１ｃには、装飾パネル取付部材２０から第１装飾パネル３１０または第２装飾パネル３２０の取外しを容易にするための取付部材取手２７が一体成形されている。また、装飾パネル取付部材２０の取付部材側面２１ｃには、「高所取付用」および「下側」の文字２１ｖが金型刻印によって一体成形されて、視認にて取付方向の確認が容易になっている（図７の（ｂ）参照）。なお、本発明は、文字２１ｖを図示されたような「枠取りされた文字」に限定するものではなく、文字のみまたは図形のみあるいは文字と図形との組み合わせであって、浮きだし形成または彫り込み形成されたものであってもよい。
【００１９】
さらに、本体フレーム１０のフランジ部９の背面には、電源入・切スイッチ１９や閉端接続子等の電気接続部品が収納され、スイッチ導体部やリード線結線部への接触防止のため結線部保護カバー１８が設けられている。また、フランジ部９の背面には回転式構造で容易に外部電源電線を接続可能な端子台１７が設けられている（図２参照）。
また、装飾パネル取付部材２０の取付部材側面２１ｄには、本体フレーム１０に設けられた電源入・切スイッチ１９に対応して、電源入・切スイッチ１９を外部より操作可能にするための電源入・切スイッチ用切欠２８と、電源入・切スイッチ１９の状態を視認にて可能にするための「入」、「切」の文字２１ｕが金型刻印により一体成形されている（図６の（ａ）参照）。なお、本体フレーム１０に電源入・切スイッチ１９が設けられない場合には、電源入・切スイッチ用切欠２８の形成や文字２１ｕの金型刻印を省略する。
【００２０】
さらに、装飾パネル取付部材２０の取付部材側面２１ａには、電源接続を電源プラグによって実施するための電源プラグの電源線を貫通させるための電源線用切欠２９と、電源プラグの電源線を後々引き出し可能にする際、電源線を貫通させる部位を確保する目的で、装飾パネル取付部材２０の取付部材側面２１ｄをカットして電源線切欠とし電源線を貫通させるための薄肉部３０が形成されている（図１１参照）。なお、電源接続を電源プラグにて実施しない場合には、電源線用切欠２９や薄肉部３０の形成を省略してもよい。
【００２１】
（第１装飾パネル）
図１２および図１３は、図１に示す換気扇を説明するものであって、図１２の（ａ）は方向性を有する第１装飾パネルを斜め背面側から見た斜視図、図１２の（ｂ）は方向性を有する第１装飾パネルを斜め前面側から見た斜視図、図１３の（ａ）および（ｂ）は方向性を有する第１装飾パネルの装飾パネル爪部および装飾パネル凸部を拡大して斜め背面側から見た斜視図である。
図１２および図１３において、第１装飾パネル３１０（方向性を有する「第１装飾パネル」に相当する）は本体フレーム１０等を覆い隠し、換気扇１００の美観を高めるためのものであって、装飾パネル側縁３１ａ、３１ｂ、３１ｃ、３１ｄを有する矩形状（例えば、正方形）である。そして、装飾パネル前面３１ｆには、方向性を付与するための処理３２ｂ、３２ｄが、装飾パネル側縁３１ｂ、３１ｄに沿って施されている。
そして、第１装飾パネル３１０の装飾パネル背面（本体フレーム１０側）３１ｒの四隅であって、装飾パネル側縁３１ａと装飾パネル側縁３１ｂとの角部寄り、装飾パネル側縁３１ｂと装飾パネル側縁３１ｃとの角部寄り、装飾パネル側縁３１ｃと装飾パネル側縁３１ｄとの角部寄り、装飾パネル側縁３１ｄと装飾パネル側縁３１ａとの角部寄りには、本体フレーム１０側に突出する装飾パネル爪３３ａ、３３ｂ、３３ｃ、３３ｄおよび装飾パネル凸部３４ａ、３４ｂ、３４ｃ、３４ｄが形成されている。
【００２２】
なお、方向性を付与するための処理３２ｂ、３２ｄは、装飾パネル側縁３１ｂ、３１ｄに平行な線上の模様であって、装飾パネル側縁３１ｂ、３１ｄの厚さが、装飾パネル側縁３１ａ、３１ｃの厚さよりも薄くなるように、装飾パネル側縁３１ｂ、３１ｄに向かって傾斜する帯状の傾斜面であるが、本発明は、方向性を付与するための処理を図示された形態に限定するものではなく、何れの位置に設けてもよく、また、直線状や曲線状（規則性のあるもの、または規則性のないもの）、あるいは美観を有する模様等であってもよい。
【００２３】
（第２装飾パネル）
図１４および図１５は、図１に示す換気扇を説明するものであって、図１４の（ａ）は方向性を有しない第２装飾パネルを斜め背面側から見た斜視図、図１４の（ｂ）は方向性を有しない第２装飾パネルを斜め前面側から見た斜視図、図１５の（ａ）および（ｂ）は方向性を有しない第２装飾パネルの装飾パネル爪部および装飾パネル凸部を拡大して斜め背面側から見た斜視図である。
図１４および図１５において、第２装飾パネル３２０（方向性を有しない「第２装飾パネル」に相当する）は、第１装飾パネル３１０における装飾パネル凸部３４を撤去したものに同じ構造である。なお、装飾パネル前面３１ｆに施された意匠性を向上させるための処理は、第１装飾パネル３１０におけるものと相違するものであって、何れの姿勢（位相）に取り付けられても（装飾パネル側縁３１ａが上下左右の何れの方向にあっても）、同じ美観を呈する場合と、それぞれの位相において、それぞれ相違する美観を呈する場合とがある。
【００２４】
（係合構造）
次に、取付部材係合孔２５への装飾パネル爪３３の係合構造について説明する。
取付部材係合孔２５は断面矩形の孔であって、４面からなる内面のうち何れかの内面に陥没した係合段差５２が形成されている（図８参照）。
一方、装飾パネル爪３３は、装飾パネル取付部材２０側（先端側）のより厚肉の範囲と、装飾パネル背面３１ｒ側（根本側）のより薄肉の範囲とを具備する断面矩形の板材であって、より厚肉の範囲とより薄肉の範囲とが係合顎５３によって連結されている（図８および図１３参照）。
そして、装飾パネル凸部３４の先端と係合顎５３との距離が、取付部材取付面２４と係合段差５２との距離よりも小さくなっている。
【００２５】
したがって、取付部材係合孔２５に装飾パネル爪３３が侵入しても、取付部材凹部２６に装飾パネル凸部３４が侵入しない場合、すなわち、装飾パネル凸部３４が取付部材取付面２４に当接した場合には、係合顎５３が係合段差５２に到達しない。そのため、第１装飾パネル３１０または第２装飾パネル３２０は、装飾パネル取付部材２０から引き離し可能な状態になる。
一方、取付部材係合孔２５に装飾パネル爪３３が侵入して、取付部材凹部２６に装飾パネル凸部３４が侵入した場合には、係合顎５３が係合段差５２に到達して、係合するため、第１装飾パネル３１０または第２装飾パネル３２０は、装飾パネル取付部材２０から引き離し不可能な状態になる。
【００２６】
（装飾パネル爪の形状）
図１２において、装飾パネル爪３３は、仮想円周６１上の４個所に等分配置され、それぞれの形状が互いに仮想円周６１の中心６０に対して９０°対称（４回対称あるいは４相対称に同じ）である。すなわち、例えば、装飾パネル爪３３ａの形状は、仮想円周６１の中心６０を回転中心として９０°回転したとき、装飾パネル爪３３ｂの形状に一致し、さらに、９０°回転したとき、装飾パネル爪３３ｃの形状に一致し、さらに、９０°回転したとき、装飾パネル爪３３ｄの形状に一致する。このことは、装飾パネル爪３３ａの形状と装飾パネル爪３３ｃの形状とが点対称（１８０°対称）で、装飾パネル爪３３ｂの形状と装飾パネル爪３３ｄの形状とが点対称（１８０°対称）であることに同じである。
【００２７】
（装飾パネル凸部の形状）
図１２において、装飾パネル凸部３４は仮想円周６１上の２個所に等分配置され、それぞれの形状が互いに仮想円周６１の中心６０に対して１８０°対称（点対称あるいは２回（相）対称に同じ）である。すなわち、例えば、装飾パネル凸部３４ａの形状は、仮想円周６１の中心６０を回転中心として９０°回転したとき、装飾パネル凸部３４ｂの形状に一致しないものの、さらに、９０°回転したとき、装飾パネル凸部３４ｃの形状に一致する。さらに、装飾パネル凸部３４ａを９０°回転したとき、装飾パネル爪３３ｄの形状に一致しない。このことは、装飾パネル爪３３ａの形状と装飾パネル爪３３ｃの形状とが点対称（１８０°対称）で、装飾パネル爪３３ｂの形状と装飾パネル爪３３ｄの形状とが点対称（１８０°対称）であることに同じである。
なお、装飾パネル凸部３４は、仮想円周６１の中心６０に一致する中心を有する限り、仮想円周６１とは相違する半径の円周上に等分配置されてもよい。このとき、装飾パネル爪３３の一部と装飾パネル凸部３４の一部とが離れる場合がある。
【００２８】
（取付部材係合孔および取付部材凹部の形状）
図１０において、取付部材係合孔２５および取付部材凹部２６は、所定の位相において、装飾パネル爪３３および装飾パネル凸部３４が侵入可能な形状である。すなわち、取付部材係合孔２５は、仮想円周６１上の４個所に等分配置され、それぞれの形状が互いに仮想円周６１の中心６０に対して９０°対称である。また、取付部材凹部２６は、仮想円周６１上の４個所に等分配置され、それぞれの形状が互いに仮想円周６１の中心６０に対して１８０°対称である。
そして、取付部材係合孔２５ｄと取付部材凹部２６ｄとが中心６０に対してなす角度（取付部材係合孔２５ｄの図心と中心６０とを結ぶ直線７５と、取付部材凹部２６ｄの図心と中心６０とを結ぶ直線７６とがなす角度θに同じ、図１０参照）が、装飾パネル爪３３ｄと装飾パネル凸部３４ｄとが中心６０に対してなす角度（装飾パネル爪３３ｄの図心と中心６０とを結ぶ直線７３と、装飾パネル凸部３４ｄの図心と中心６０とを結ぶ直線７４とがなす角度θに同じ、図１２参照）に等しくなっている。
なお、取付部材凹部２６は、装飾パネル凸部３４が仮想円周６１の中心６０に一致する中心を有しながらも、仮想円周６１とは相違する半径の円周上に等分配置された場合には、当該仮想円周６１とは相違する半径の円周上に等分配置されてもよい。このとき、取付部材係合孔２５の一部と取付部材凹部２６の一部とが離れる場合がある。
【００２９】
（第１装飾パネルの取り付け状況）
第１装飾パネル３１０の装飾パネル側縁３１ａが、装飾パネル取付部材２０の取付部材側面２１ａに沿って配置された場合または装飾パネル取付部材２０の取付部材側面２１ｃに沿って配置された場合、装飾パネル爪３３および装飾パネル凸部３４は、それぞれ、装飾パネル取付部材２０の取付部材脚部２３に形成された取付部材係合孔２５および取付部材凹部２６に侵入することにより、第１装飾パネル３１０を装飾パネル取付部材２０に取り付けることが可能である。
一方、第１装飾パネル３１０の装飾パネル側縁３１ａが、装飾パネル側縁３１ａが取付部材側面２１ｂに沿って配置された場合または装飾パネル側縁３１ａが取付部材側面２１ｄに沿って配置された場合、装飾パネル爪３３は取付部材係合孔２５に侵入するものの、装飾パネル凸部３４は取付部材凹部２６に侵入しないため、第１装飾パネル３１０を装飾パネル取付部材２０に取り付けることが不可能になる。
したがって、方向性を有する第１装飾パネル３１０は、上下（天地）方向を水平方向にするような誤りをすることなく、正確に装飾パネル取付部材２０に取り付けることができる。また、仮に、上下（天地）方向を水平方向にするような誤りをした場合でも、係合顎５３が係合段差５２に到達しないから（図８参照）、係合顎５３や係合段差５２を損傷することなく、第１装飾パネル３１０を装飾パネル取付部材２０から容易に引き離すことができる。
【００３０】
（第２装飾パネルの取り付け状況）
第２装飾パネル３２０は、第１装飾パネル３１０が具備する装飾パネル凸部３４を有しないため、第２装飾パネル３２０の装飾パネル側縁３１ａが、装飾パネル取付部材２０の何れの取付部材側面２１に沿って配置された場合でも、装飾パネル爪３３は取付部材係合孔２５に侵入するから、第２装飾パネル３２０を装飾パネル取付部材２０に取り付けることが可能である。
したがって、方向性を有しない第２装飾パネル３２０は、上下（天地）方向や水平方向を気にすることなく、装飾パネル取付部材２０に取り付けることができる。したがって、取り付ける方向（位相）が相違するために、一旦、取り付け途中の装飾パネル取付部材２０を取り外して、再度、方向（位相）を９０°変えて取り付け直す手間が不要になる。よって、取り付け作業の迅速化を図ることができる。
【００３１】
以上のように、換気扇１００は、第１装飾パネル３１０または第２装飾パネル３２０を選択的に有するものであるが、第１装飾パネル３１０を有する場合には、第１装飾パネル３１０を装飾パネル取付部材２０に正確に取り付けることが可能であり、第２装飾パネル３２０を有する場合には、第２装飾パネル３２０を装飾パネル取付部材２０に迅速に取り付けることが可能である。
なお、第１装飾パネル３１０は、４個所に装飾パネル凸部３４を有しているが、本発明はこれに限定するものではなく、対角配置された装飾パネル凸部３４ａおよび装飾パネル凸部３４ｃのみを有してもよく、あるいは、対角配置された装飾パネル凸部３４ｂおよび装飾パネル凸部３４ｄのみを有してもよい。
さらに、第１装飾パネル３１０は上下方向は不問（装飾パネル側縁３１ａが上にあっても、下にあってもよい）であるが、上下方向も決められている（装飾パネル側縁３１ａは上にある必要があり、下にあってはならない）場合は、特定の方向（位相）においてのみ、装飾パネル凸部３４が取付部材凹部２６に侵入するようにすればよい。すなわち、装飾パネル凸部３４の形状を回転対称にしない。
【００３２】
さらに、以上は、取付部材脚部２３が、装飾パネル取付部材２０（正確には、取付部材端面２２）の四隅に設置されているが、本発明はこれに限定するものではなく、隅部以外の位置、例えば、装飾パネル側縁３１の中央に対応する位置に設置してもよい。
さらに、以上は、装飾パネル取付部材２０、第１装飾パネル３１０および第２装飾パネル３２０が矩形状（正方形）であるが、本発明はこれに限定するものではく、例えば、円形や六角形等であってもよい。
そして、取付部材脚部２３の数を、３本以上の「ｎ本」にして、取付部材係合孔２５および装飾パネル爪３３は、それぞれ「（３６０／ｎ）°対称」にし、所定の１方向に限って装飾パネルを取り付ける場合には、当該所定の方向に限って、装飾パネル凸部３４が取付部材凹部２６に侵入するようにすればよい。
また、取付部材脚部２３の数を、６本以上の偶数の「ｎ本」にして、取付部材係合孔２５の形状および装飾パネル爪３３の形状を、それぞれ「（３６０／ｎ）°対称」にし、上下方向にのみ装飾パネルを取り付ける場合には、装飾パネル凸部３４の形状および取付部材凹部２６の形状を「１８０°対称」にすればよい。
【００３３】
［実施の形態２］
図１６および図１７は、本発明の実施の形態２に係る換気扇を説明するものであって、図１６は装飾パネル取付部材の正面図、図１７の（ａ）は方向性を有する第３装飾パネルを斜め背面側から見た斜視図、図１７の（ｂ）は方向性を有する第３装飾パネルを斜め前面側から見た斜視図である。なお、各図は模式的に描いたものであって、本発明は図示された形態に限定するものではない。また、実施の形態１と同じ部分または相当する部分には同じ符号を付し、一部の説明を省略する。
【００３４】
本発明の実施の形態２に係る換気扇２００は、実施の形態１で説明した換気扇１００における装飾パネル取付部材２０を装飾パネル取付部材２２０に変更し、方向性を有する第３装飾パネル３３０または方向性を有しない第２装飾パネル３２０を選択的に有するものである。
なお、換気扇２００が第２装飾パネル３２０または第３装飾パネル３３０を有する場合の側面視の断面図は、第１装飾パネル３１０を有する換気扇の側面視の断面図（図１）に同じであるため、図示しない。
【００３５】
図１６において、装飾パネル取付部材２２０は、装飾パネル取付部材２０における取付部材凹部２６ｂおよび取付部材凹部２６ｄを撤去して、対角位置に配置されている取付部材凹部２６ａおよび取付部材凹部２６ｃと、４個所に配置された取付部材係合孔２５と、を有している。
図１７において、第３装飾パネル３３０は、第１装飾パネル３１０における装飾パネル凸部３４ｂおよび装飾パネル凸部３４ｄを撤去して、対角位置に配置されている装飾パネル凸部３４ａおよび装飾パネル凸部３４ｃと、４個所に配置された装飾パネル爪３３と、を有している。
【００３６】
したがって、換気扇２００は、方向性を有する第２装飾パネル３２０または方向性を有しない第２装飾パネル３２０を選択的に有するものであるが、換気扇１００と同様に、第２装飾パネル３２０を有する場合には、第３装飾パネル３３０を装飾パネル取付部材２２０に正確に取り付けることが可能であり、第２装飾パネル３２０を有する場合には、第２装飾パネル３２０を装飾パネル取付部材２２０に迅速に取り付けることが可能である。
【００３７】
［実施の形態３］
図１８は、本発明の実施の形態３に係る換気扇共通部を説明する側面視の断面図である。なお、実施の形態１と同じ部分には同じ符号を付し、一部の説明を省略する。また、図１８は模式的に描いたものであって、本発明は図示された形態に限定されるものではない。
図１８において、換気扇共通部９０は、第１装飾パネル３１０または第２装飾パネル３２０が取り付けられる前の換気扇１００（実施の形態１）に相当している。すなわち、換気扇共通部９０は、換気扇１００が第１装飾パネル３１０を有する場合は、第１装飾パネル３１０を除くものに、換気扇１００が第２装飾パネル３２０を有する場合は、第２装飾パネル３２０を除くものに同じであるから、説明を省略する。なお、換気扇共通部９０と同様に、換気扇２００（実施の形態２）から第１装飾パネル３１０または第２装飾パネル３２０を除いても、換気扇共通部（図示しない）が形成される。
【００３８】
［実施の形態４］
図１９は、本発明の実施の形態４に係る給排気口部材を説明するものであって、隔壁パイプに設置された状態を示す側面視の断面図である。なお、実施の形態１と同じ部分には同じ符号を付し、一部の説明を省略する。また、図１９は模式的に描いたものであって、本発明は図示された形態に限定されるものではない。
図１９において、給排気口部材４００は、隔壁４１の形成された隔壁貫通孔４３に設置されて給排気口を形成するものであって、換気扇１００（実施の形態１）から、本体フレーム１０を除く換気扇本体１を撤去したものに相当する。すなわち、給排気口部材４００は、羽根車４、電動機５、送風機脚部１１や電動機カバー１３等（送風機３および送風機３を隔壁パイプ４４に設置するための手段）がなく、本体フレーム１０と、装飾パネル取付部材２０と、第１装飾パネル３１０または第２装飾パネル３２０の一方とを有し、これらを除く部位については、換気扇１００に同じであるから、説明を省略する。
なお、給排気口部材４００と同様に、換気扇２００（実施の形態２）から、羽根車４や電動機５等を除いても、給排気口部材（図示しない）が形成される。また、図１９は室内４０側に装飾パネル取付部材２０が配置されているが、室外４２側に装飾パネル取付部材２０が配置されてもよい。
【００３９】
［実施の形態５］
図２０は、本発明の実施の形態５に係る給排気口部材共通部を説明する側面視の断面図である。なお、実施の形態１と同じ部分には同じ符号を付し、一部の説明を省略する。また、図２０は模式的に描いたものであって、本発明は図示された形態に限定されるものではない。
図２０において、給排気口部材共通部５００は、第１装飾パネル３１０または第２装飾パネル３２０が取り付けられる前の給排気口部材４００（実施の形態４）に相当している。すなわち、給排気口部材共通部５００は、給排気口部材４００が第１装飾パネル３１０を有する場合は、第１装飾パネル３１０を除くものに、給排気口部材４００が第２装飾パネル３２０を有する場合は、第２装飾パネル３２０を除くものに同じであるから、説明を省略する。
【産業上の利用可能性】
【００４０】
本発明に係る換気扇、換気扇共通部、給排気口部材および給排気口部材共通部は以上の構成であるから、隔壁に設置されるものに限定されるものではなく、天井面や床面に設置される各種換気扇をはじめ、装飾パネル（例えば、化粧パネルや意匠パネルと称される）を有する各種送風機や各種空気調和機およびその共通部材として、さらに、各種建造物に形成された空気を通すための貫通孔に設置される給排気口部材および給排気口部材共通部として、広く利用することができる。
【符号の説明】
【００４１】
１  換気扇本体、２  風洞部、３  送風機、４  羽根車、５  電動機、６  送風機フレーム、７  フランジ立ち上がり部、８  開口部、９  フランジ部、１０  本体フレーム、１１  送風機脚部、１２  送風機橋絡部、１３  電動機カバー、１４  送風機板バネ、１５  電動機回転軸、１６  シール材、１７  端子台、１８  結線部保護カバー、１９  電源入・切スイッチ、２０  装飾パネル取付部材、２１ａ  取付部材側面、２１ｂ  取付部材側面、２１ｃ  取付部材側面、２１ｄ  取付部材側面、２１ｆ  取付部材端面、２１ｕ  文字、２１ｖ  文字、２２  取付部材端面、２２ｗ  通気孔、２３ａ  取付部材脚部、２３ｂ  取付部材脚部、２３ｃ  取付部材脚部、２３ｄ  取付部材脚部、２４ａ  取付部材取付面、２４ｂ  取付部材取付面、２４ｃ  取付部材取付面、２４ｄ  取付部材取付面、２５ａ  取付部材係合孔、２５ｂ  取付部材係合孔、２５ｃ  取付部材係合孔、２５ｄ  取付部材係合孔、２６ａ  取付部材凹部、２６ｂ  取付部材凹部、２６ｃ  取付部材凹部、２６ｄ  取付部材凹部、２７  取付部材取手、２８  電源入・切スイッチ用切欠、２９  電源線用切欠、３０  薄肉部、３１ａ  装飾パネル側縁、３１ｂ  装飾パネル側縁、３１ｃ  装飾パネル側縁、３１ｄ  装飾パネル側縁、３１ｆ  装飾パネル前面、３１ｒ  装飾パネル背面、３２ｂ  方向性を付与するための処理、３２ｄ  方向性を付与するための処理、３３ａ  装飾パネル爪、３３ｂ  装飾パネル爪、３３ｃ  装飾パネル爪、３３ｄ  装飾パネル爪、３４ａ  装飾パネル凸部、３４ｂ  装飾パネル凸部、３４ｃ  装飾パネル凸部、３４ｄ  装飾パネル凸部、３５ａ  案内部材設置孔、３５ｂ  案内部材設置孔、３５ｃ  案内部材設置孔、３５ｄ  案内部材設置孔、３５ｆ  案内部材フランジ、３５ｗ  案内部材膨出部、４０  室内、４１  隔壁、４２  室外、４３  隔壁貫通孔、４４  隔壁パイプ、５２  係合段差、５３  係合顎、６０  中心、６１  仮想円周、７３  直線、７４  直線、７５  直線、７６  直線、９０  換気扇共通部（実施の形態３）、１００  換気扇（実施の形態１）、２００  換気扇（実施の形態２）、２２０  装飾パネル取付部（実施の形態２）、３１０  第１装飾パネル、３２０  第２装飾パネル、３３０  第３装飾パネル、３５０  案内部材、４００  給排気口部材（実施の形態４）、５００  給排気口部材（実施の形態５）、θ  角度。
【図１】
2014070770.tif 000003
【図２】
2014070770.tif 000004
【図３】
2014070770.tif 000005
【図４】
2014070770.tif 000006
【図５】
2014070770.tif 000007
【図６】
2014070770.tif 000008
【図７】
2014070770.tif 000009
【図８】
2014070770.tif 000010
【図９】
2014070770.tif 000011
【図１０】
2014070770.tif 000012
【図１１】
2014070770.tif 000013
【図１２】
2014070770.tif 000014
【図１３】
2014070770.tif 000015
【図１４】
2014070770.tif 000016
【図１５】
2014070770.tif 000017
【図１６】
2014070770.tif 000018
【図１７】
2014070770.tif 000019
【図１８】
2014070770.tif 000020
【図１９】
2014070770.tif 000021
【図２０】
2014070770.tif 000022